(57)【要約】【課題】簡易に表示装置に３次元表示を行わせることができる画像処理装置及びその制御方法等を提供する。【解決手段】記録再生装置１０には、表示装置を接続する外部接続ＩＦ１０８と、前記表示装置が、３次元表示が可能なものであるか否かを判断するＣＰＵ１０９と、ＣＰＵ１０９により、３次元表示が可能なものであると判断された場合には３次元表示用の画像を作成し、３次元表示が可能なものではないと判断された場合には２次元表示用の画像を作成するグラフィック処理部１０５と、外部接続ＩＦ１０８を介して、グラフィック処理部１０５により作成された画像を前記表示装置に出力するビデオ信号処理部１０６と、が設けられている。【選択図】図１
2012039243.tif 000002
【特許請求の範囲】
【請求項１】
表示装置を接続する接続手段と、
前記表示装置が、３次元表示が可能なものであるか否かを判断する判断手段と、
前記判断手段により、３次元表示が可能なものであると判断された場合には３次元表示用の画像を作成し、３次元表示が可能なものではないと判断された場合には２次元表示用の画像を作成する処理手段と、
前記接続手段を介して、前記処理手段により作成された画像を前記表示装置に出力する出力手段と、
を有することを特徴とする画像処理装置。
【請求項２】
前記表示装置の表示方式に関する情報を取得する取得手段を有し、
前記処理手段は、前記判断手段により３次元表示が可能なものであると判断された場合には、前記表示方式に対応する３次元表示用の画像を作成することを特徴とする請求項１に記載の画像処理装置。
【請求項３】
前記表示装置の表示方式に関する情報を取得する取得手段を有し、
前記処理手段は、前記判断手段により３次元表示が可能なものであると判断された場合であっても、前記表示方式に対応する３次元表示用の画像を作成できないときには２次元表示用の画像を作成することを特徴とする請求項１に記載の画像処理装置。
【請求項４】
前記処理手段は、前記判断手段により、３次元表示が可能なものであると判断され、かつ前記表示装置に画像の３次元表示を行わせる旨の指示があった場合に、３次元表示用の画像を作成することを特徴とする請求項１乃至３のいずれか１項に記載の画像処理装置。
【請求項５】
前記処理手段が作成する画像は、ＧＵＩの画像であり、
前記出力手段が３次元表示用の画像を出力している場合は２次元のＧＵＩを表示し、前記出力手段が２次元表示用の画像を出力している場合はＧＵＩの表示を省略する表示手段と、
を有することを特徴とする請求項１乃至４のいずれか１項に記載の画像処理装置。
【請求項６】
画像処理装置に設けられた接続手段に接続された表示装置が、３次元表示が可能なものであるか否かを判断する判断ステップと、
前記判断ステップにおいて、３次元表示が可能なものであると判断した場合には３次元表示用の画像を作成し、３次元表示が可能なものではないと判断した場合には２次元表示用の画像を作成する処理ステップと、
前記接続手段を介して、前記処理ステップにおいて作成した画像を前記表示装置に出力する出力ステップと、
を有することを特徴とする画像処理装置の制御方法。
【請求項７】
コンピュータに、
画像処理装置に設けられた接続手段に接続された表示装置が、３次元表示が可能なものであるか否かを判断する判断ステップと、
前記判断ステップにおいて、３次元表示が可能なものであると判断した場合には３次元表示用の画像を作成し、３次元表示が可能なものではないと判断した場合には２次元表示用の画像を作成する処理ステップと、
前記接続手段を介して、前記処理ステップにおいて作成した画像を前記表示装置に出力する出力ステップと、
を実行させることを特徴とするプログラム。
【請求項８】
コンピュータに、
画像処理装置に設けられた接続手段に接続された表示装置が、３次元表示が可能なものであるか否かを判断する判断ステップと、
前記判断ステップにおいて、３次元表示が可能なものであると判断した場合には３次元表示用の画像を作成し、３次元表示が可能なものではないと判断した場合には２次元表示用の画像を作成する処理ステップと、
前記接続手段を介して、前記処理ステップにおいて作成した画像を前記表示装置に出力する出力ステップと、
を実行させるプログラムを記憶したことを特徴とするコンピュータ読み取り可能な記憶媒体。
【発明の詳細な説明】
【技術分野】
【０００１】
本発明は、外部の表示装置への画像の出力に好適な画像処理装置及びその制御方法等に関する。
【背景技術】
【０００２】
近年、映画等が立体（以降、「３次元」又は「３Ｄ」と表記することがある）映像で提供されることが増えてきており、それに伴い家庭用のテレビも立体表示に対応するものが開発されている。
立体映像表示はステレオ視の原理を利用しており、ユーザの左眼及び右眼にそれぞれ両眼視差分だけ内容が異なる左眼用の映像及び右眼用の映像を表示する。ユーザは左眼用の映像と右眼用の映像の視差を知覚し、視差量に応じた立体感のある映像を見ることができる。
従来、立体撮像装置における立体表示方式として視差のある画像を時分割で表示する時分割方式の表示手段と、視差のある画像を同時に表示する立体鏡方式の表示手段とから任意に選択された方式で表示可能なものが提案されている（例えば、特許文献１参照）。この技術では、立体撮像した映像が時分割方式又は立体鏡方式のいずれかに対応して変換出力される。そして、この技術によれば、ユーザはいずれかの表示モードを選択して立体像を鑑賞することができる。
【先行技術文献】
【特許文献】
【０００３】
【特許文献１】特開平７−３１３４４８号公報
【発明の概要】
【発明が解決しようとする課題】
【０００４】
しかしながら、上記の従来技術の汎用性は低く、表示装置に応じて種々の設定を行わなければ、適切な立体像を鑑賞することができない。つまり、ユーザには煩雑な操作が要求される。
【０００５】
本発明は、簡便な操作で表示装置に３次元表示を行わせることができる画像処理装置及びその制御方法等を提供することを目的とする。
【課題を解決するための手段】
【０００６】
本発明に係る画像処理装置は、表示装置を接続する接続手段と、前記表示装置が、３次元表示が可能なものであるか否かを判断する判断手段と、前記判断手段により、３次元表示が可能なものであると判断された場合には３次元表示用の画像を作成し、３次元表示が可能なものではないと判断された場合には２次元表示用の画像を作成する処理手段と、前記接続手段を介して、前記処理手段により作成された画像を前記表示装置に出力する出力手段と、を有することを特徴とする。
【発明の効果】
【０００７】
本発明によれば、判断手段による判断結果に応じて処理手段が画像を作成するため、簡便な操作で表示装置に３次元表示を行わせることができる。
【図面の簡単な説明】
【０００８】
【図１】記録再生装置の構成を示すブロック図である。
【図２】再生インデックス画面の一例を示す図である。
【図３】記録再生装置とモニタとの接続関係を示す図である。
【図４】ＧＵＩ表示の詳細を示すフローチャートである。
【図５】モニタの条件情報の一例を示す図である。
【図６】表示パネルの表示画面の一例を示す図である。
【図７】ライン・バイ・ライン方式による立体表示の概略を示す図である。
【図８】フレームシーケンシャル方式による立体表示の概略を示す図である。
【図９】多眼式立体表示の概略を示す図である。
【図１０】ＧＵＩの３Ｄ変換処理の概要を示す図である。
【図１１】第２の実施形態の動作を示すフローチャートである。
【発明を実施するための形態】
【０００９】
以下、本発明の実施形態について添付の図面を参照して具体的に説明する。
【００１０】
（第１の実施形態）
先ず、第１の実施形態について説明する。図１は、本発明の第１の実施形態に係る記録再生装置（画像処理装置）の構成を示すブロック図である。
第１の実施形態に係る記録再生装置１０には、撮像部１００、信号処理部１０１、符号化処理部１０２、メモリ１０３、記録ドライブ１０４、グラフィック処理部１０５、ビデオ信号処理部１０６、及び表示パネル１０７が設けられている。また、外部接続インタフェース（ＩＦ）１０８、中央処理装置（ＣＰＵ）１０９、及び操作部１１０も設けられており、記録媒体１１１が着脱可能となっている。
撮像部１００には、レンズ等の光学系、撮像素子、及びアナログデジタル（ＡＤ）変換器等が含まれている。信号処理部１０１は、入力した受信した信号の処理を行う。符号化処理部１０２は、入力した信号の圧縮及び復号を行う。記録ドライブ１０４は、入力した信号の記録媒体１１１への記録、及び記録媒体１１１からの信号の読み出しを行う。記録媒体１１１としては、ＳＤカード、ハードディスク、ＤＶＤ等が用いられる。グラフィック処理部１０５は、文字及びアイコン等の表示パネル１０７に表示するオンスクリーンディスプレイ（ＯＳＤ）情報を生成する。ビデオ信号処理部１０６は、入力した信号を表示パネル１０７用のビデオ信号に変換する。表示パネル１０７としては、液晶表示装置（ＬＣＤ）等が用いられる。外部接続ＩＦ１０８は、家庭用テレビ等の外部機器との間で信号の送受信を行う。外部接続ＩＦ１０８の規格としては、例えばＨＤＭＩ（High Definition Multimedia Interface）規格が挙げられる。ＣＰＵ１０９は、記録再生装置１０全体の制御を行う。操作部１１０には、ボタン、タッチパネル等が設けられており、操作部１１０は、ボタンの押し下げ、タッチパネル上での指の動き等を検出する。
【００１１】
ここで、記録再生装置１０の記録動作の概略について説明する。記録動作は、ユーザによる操作部１１０の操作に伴う記録モードへの設定及び記録開始の指示に基づいて行われる。
先ず、ＣＰＵ１０９が操作部１１０の操作状態を検知し、記録モードに設定され、記録開始の指示があったことを判別する。次に、ＣＰＵ１０９による制御に基づき、撮像部１００が、入力した被写体像を光電変換して信号処理部１０１に送信する。次いで、信号処理部１０１が、ＣＰＵ１０９による制御に基づき、撮像部１００から受信した信号を、輝度信号及び色差信号に変換すると共に、ＡＧＣ（自動ゲイン制御）、ガンマ補正等の各種の信号処理を施し、符号化処理部１０２に送信する。その後、符号化処理部１０２が、ＣＰＵ１０９による制御に基づき、信号処理部１０１から受信した信号を圧縮してメモリ１０３に保持させる。続いて、記録ドライブ１０４が、メモリ１０３に保持されている圧縮映像信号を所定のタイミングで記録媒体１１１に記録する。また、これらの一連の処理と並行して、ＣＰＵ１０９による制御に基づき、グラフィック処理部１０５がＯＳＤ情報を生成し、ビデオ信号処理部１０６が信号処理部１０１による信号処理後の映像信号にＯＳＤ情報を重畳して表示パネル１０７に出力する。
【００１２】
次に、記録再生装置１０の表示パネル１０７を用いた再生動作の概略について説明する。再生動作は、外部接続ＩＦ１０８にモニタが接続されていない状態でのユーザによる操作部１１０の操作に伴う再生モードへの設定に基づいて行われる。
先ず、ＣＰＵ１０９が操作部１１０の操作状態を検知し、再生モードに設定されたことを判別する。次に、ＣＰＵ１０９は、記録ドライブ１０４を制御して記録媒体１１１に保存されている映像データを読み出す。次いで、ＣＰＵ１０９による制御に基づき、符号化処理部１０２が、ＣＰＵ１０９に読み出された映像データの先頭フレームを代表画として復号処理し、メモリ１０３に保持する。ＣＰＵ１０９は、記録媒体１１１に他の映像データが保存されていれば、それを逐次読み出し、その度に符号化処理部１０２が上記の復号処理を行う。その後、グラフィック処理部１０５が、ＣＰＵ１０９による制御に基づき、メモリ１０３に保持された各代表画を必要に応じて拡大又は縮小し、表示パネル１０７に表示する際の配置を決定し、メモリ１０３に書き戻す。グラフィック処理部１０５は、更に各映像データの撮影日時を示す文字及びアイコン等のＯＳＤ画像を生成する。続いて、ビデオ信号処理部１０６が、ＣＰＵ１０９による制御に基づき、メモリ１０３の代表画及びＯＳＤ画像を入力して、所定の信号に変換し、表示パネル１０７に出力する。そして、図２に示すように、表示パネル１０７が、再生インデックス画面２００を表示する。図２には、６個の代表画３０１〜３０６が表示された例を示す。再生インデックス画面２００では、操作部１１０に設けられた十字キー等の操作に応じて代表画の選択枠２１０が移動する。このようにして、再生インデックス画面２００がグラフィカル・ユーザ・インタフェース（以降、「ＧＵＩ」と表記することがある）として表示パネル１０７に表示される。
その後、代表画３０１〜３０６のいずれかに選択枠２１０が付された状態で、ユーザによる操作部１１０の操作に伴う再生開始の指示をＣＰＵ１０９が検出すると、選択枠２１０が付された代表画が代表する映像データが再生される。
【００１３】
本実施形態に係る記録再生装置１０は、表示パネル１０７を用いた再生動作だけでなく、外部接続ＩＦ１０８を介してモニタ等の外部機器と接続して映像データの送受信ができる。即ち、外部接続ＩＦ１０８に外部機器としてモニタが表示されている場合には、当該モニタを用いた再生動作を行うことができる。ここで、記録再生装置１０の外部機器（モニタ）を用いた再生動作の概略について説明する。
図３は、記録再生装置１０とモニタとの接続関係を示す図である。図３に示すように、モニタ３０２（表示装置）には、外部接続ＩＦ３１０、表示部３１１、及び制御部３１２が設けられている。外部接続ＩＦ３１０は、記録再生装置等の外部機器との間で信号の送受信を行う。外部接続ＩＦ３１０の規格としては、例えばＨＤＭＩ規格が挙げられる。本実施形態では、外部接続ＩＦ３１０と記録再生装置１０の外部接続ＩＦ１０８とが互いに接続される。モニタ３０２には、更に、ＬＣＤ等の表示部３１１、及びモニタ３０２の全体を制御する制御部３１２が設けられている。なお、モニタ３０２は、３Ｄ表示（３次元表示）に対応したものであっても、３Ｄ表示に対応していないものであってもよい。
【００１４】
図４は、記録再生装置１０のモニタ３０２を用いた再生動作のうちのＧＵＩ表示の詳細を示すフローチャートである。なお、３Ｄ表示形式には種々のものがあるが、ここでは、記録再生装置１０が対応している３Ｄ表示形式が、時分割表示の一種であるライン・バイ・ライン方式及びフレームシーケンシャル方式、並びに多眼式立体表示のみであるとする。
先ず、ユーザにより記録再生装置１０及びモニタ３０２が互いに接続されると、記録再生装置１０のＣＰＵ１０９及びモニタ３０２の制御部３１２が外部接続ＩＦ１０８及び３１０を介して所定のプロトコルで通信を開始する（ステップＳ４０１）。そして、ＣＰＵ１０９が判断手段として、モニタ３０２から条件情報を取得し、モニタ３０２が３Ｄ表示に対応しているか否かの判断を行う（ステップＳ４０２）。
図５は、モニタ３０２の条件情報の一例を示す図である。この条件情報には、機器情報５０１、表示条件情報５０２、及び音声条件情報５０３が含まれている。機器情報５０１には、モニタ３０２を特定するための情報として、モニタ３０２の製造者、製品コード、シリアル番号等が含まれる。表示条件情報５０２には、対応する解像度、対応可能なアスペクト比、画像表示形式等が含まれる。本実施形態では、更に、表示条件情報５０２に、３Ｄ対応の有無、３Ｄ表示形式の情報が含まれる。３Ｄ表示形式としては、時分割立体表示及び多眼式立体表示が挙げられ、３Ｄ表示形式の情報には、モニタ３０２がどのような形式で３Ｄ表示するのかが示されている。音声条件情報５０３には、ドルビー（商標）対応、ＤＴＳ（デジタル・シアター・システムズ）対応等の情報が含まれる。このような条件情報は、例えば制御部３１２がアクセス可能なメモリ等に格納されている。
【００１５】
そして、モニタ３０２が３Ｄ表示に対応している場合には、ステップＳ４０３に移行し、対応していない場合には、ステップＳ４０７に移行する。
ステップＳ４０７では、表示パネル１０７を用いた再生動作と同様に、符号化処理部１０２が復号処理を行い、グラフィック処理部１０５が、処理手段として２次元（以降、「２Ｄ」と表記することがある）表示用に、代表画の拡大又は縮小、配置の決定、及びＯＳＤ画像の生成を行う。代表画及びＯＳＤ画像等はメモリ１０３に保持される。このようにして、２Ｄ表示用（２次元表示用）の設定が終了する（ステップＳ４１８）。続いて、ビデオ信号処理部１０６が出力手段として所定のタイミングでメモリ１０３から代表画及びＯＳＤ画像等を取り出して信号の変換等を行い、外部接続ＩＦ１０８を介してモニタ３０２に２Ｄ表示のＧＵＩデータを出力する（ステップＳ４１９）。
ステップＳ４０３では、ＣＰＵ１０９の制御に基づいて、表示パネル１０７が、モニタ３０２が３Ｄ対応であることを表示する。次いで、ＣＰＵ１０９の制御に基づいて、表示パネル１０７が、モニタ３０２に表示するＧＵＩを立体表示にするかユーザに問い合わせる表示を行う（ステップＳ４０４）。図６は、表示パネル１０７の表示画面の一例を示す図である。
【００１６】
次いで、ＣＰＵ１０９は操作部１１０を監視し、問い合わせに対する入力があると立体表示にすることが選択されたか否かの判断を行う（ステップＳ４０５）。そして、立体表示にすることが選択された場合には、ステップＳ４０６に移行し、立体表示にしないことが選択された場合には、ステップＳ４０７に移行する。
ステップＳ４０６では、ＣＰＵ１０９が、モニタ３０２から取得した条件情報内の表示条件情報５０２から３Ｄ表示形式の情報を取得する。次いで、ＣＰＵ１０９が、モニタ３０２が時分割立体表示を行うのか否かの判断を行う（ステップＳ４０８）。そして、モニタ３０２が時分割立体表示を行う場合には、ステップＳ４０９に移行し、そうでない場合には、ステップＳ４１５に移行する。
ステップＳ４０９では、ＣＰＵ１０９が、モニタ３０２が時分割立体表示の一種であるライン・バイ・ライン方式で３Ｄ表示を行うのか否かの判断を行う。そして、モニタ３０２がライン・バイ・ライン方式で３Ｄ表示を行う場合には、ステップＳ４１０に移行し、そうでない場合には、ステップＳ４１１に移行する。
ステップＳ４１１では、ＣＰＵ１０９が、モニタ３０２が時分割立体表示の一種であるフレームシーケンシャル方式で３Ｄ表示を行うのか否かの判断を行う。そして、モニタ３０２がフレームシーケンシャル方式で３Ｄ表示を行う場合には、ステップＳ４１２に移行し、そうでない場合には、ステップＳ４０７に移行する。
また、ステップＳ４１５では、ＣＰＵ１０９が、モニタ３０２が記録再生装置１０が対応可能な所定の分割数での多眼式立体表示で３Ｄ表示を行うのか否かの判断を行う。そして、モニタ３０２が多眼式立体表示で３Ｄ表示を行う場合には、ステップＳ４１６に移行し、そうでない場合には、ステップＳ４０７に移行する。
このようにして、ＣＰＵ１０９は、モニタ３０２の３Ｄ表示形式を判別する。なお、モニタ３０２がフレームシーケンシャル方式で３Ｄ表示を行うものでない場合（ステップＳ４１１）にステップＳ４０７に移行するのは、記録再生装置１０が対応している３Ｄ表示形式が、時分割表示の一種であるライン・バイ・ライン方式及びフレームシーケンシャル方式、並びに多眼式立体表示のみだからである。モニタ３０２が多眼式立体表示を行うものでない場合（ステップＳ４１５）にステップＳ４０７に移行するのも同様の理由による。なお、これらの場合に、モニタ３０２でＧＵＩの３Ｄ表示を行うことができない旨を表示パネル１０７が表示してユーザに警告してもよい。
【００１７】
モニタ３０２がライン・バイ・ライン方式で３Ｄ表示を行う場合、符号化処理部１０２が復号処理を行い、グラフィック処理部１０５が代表画の拡大又は縮小、配置の決定、及びＯＳＤ画像の生成を行う。この際に、グラフィック処理部１０５は、処理手段としてライン・バイ・ライン方式に対応するように代表画の立体画像変換処理を行い、変換処理された画像をメモリ１０３に保持させる（ステップＳ４１０）。
【００１８】
モニタ３０２がフレームシーケンシャル方式で３Ｄ表示を行う場合、ＣＰＵ１０９がモニタ３０２の駆動周波数が倍速駆動に相当するものであるか否かの判断を行う（ステップＳ４１２）。この駆動周波数は、例えば表示条件情報５０２の３Ｄ表示形式データの中に含まれている。
そして、駆動周波数が倍速駆動に相当するものであれば、ステップＳ４１３に移行し、そうでなければ、ステップＳ４１４に移行する。
ステップＳ４１３及びＳ４１４では、符号化処理部１０２が復号処理を行い、グラフィック処理部１０５が代表画の拡大又は縮小、配置の決定、及びＯＳＤ画像の生成を行う。この際に、ステップＳ４１３では、グラフィック処理部１０５は、処理手段として１２０Ｈｚのプログレッシブ走査により３Ｄ変換するように代表画の立体画像変換処理を行い、変換処理された画像をメモリ１０３に保持させる。一方、ステップＳ４１４では、グラフィック処理部１０５は、処理手段として６０Ｈｚのプログレッシブ走査により３Ｄ変換するように代表画の立体画像変換処理を行い、変換処理された画像をメモリ１０３に保持させる。
【００１９】
モニタ３０２が記録再生装置１０が対応可能な所定の分割数での多眼式立体表示で３Ｄ表示を行う場合、グラフィック処理部１０５が処理手段として当該分割数で３Ｄ変換するように代表画の立体画像変換処理を行い、変換処理された画像をメモリ１０３に保持させる（ステップＳ４１６）。
【００２０】
これらのステップＳ４１０、Ｓ４１３、Ｓ４１４、又はＳ４１６の処理により、３Ｄ表示用（３次元表示用）の設定が終了する（ステップＳ４１７）。続いて、ビデオ信号処理部１０６が出力手段として、モニタ３０２の３Ｄ表示方式に従って、所定のタイミングでメモリ１０３から代表画及びＯＳＤ画像等を取り出して信号の変換等を行い、外部接続ＩＦ１０８を介してモニタ３０２に３Ｄ表示のＧＵＩデータを出力する（ステップＳ４１９）。例えば、フレームシーケンシャル方式の立体表示の場合には、左眼用の画像及び右眼用の画像を指定されたフレーム駆動周期で交互に読み出して所定のビデオ信号に変換し、外部接続ＩＦ１０８を介して出力する。他の立体表示方式の場合には、３Ｄ表示方式に応じた信号に変換すればよい。なお、ステップＳ４１７の後に、一連の３Ｄ表示用の設定が終了したことを表示パネル１０７が表示してもよく、ステップＳ４１８の後に、一連の２Ｄ表示用の設定が終了したことを表示パネル１０７が表示してもよい。
【００２１】
ステップＳ４１９の送信後、モニタ３０２の制御部３１２が外部接続ＩＦ３１０を介して２Ｄ又は３ＤのＧＵＩデータを受信し、表示部３１１が２Ｄ又は３ＤのＧＵＩ表示を行う。
その後、表示部３１１に表示されているＧＵＩのいずれかが選択された状態で、ユーザによる操作部１１０の操作に伴う再生開始の指示をＣＰＵ１０９が検出すると、当該ＧＵＩの代表画が代表する映像データが再生される。
【００２２】
ここで、上記のライン・バイ・ライン方式による立体表示、フレームシーケンシャル方式による立体表示、及び多眼式立体表示の概要について説明する。
【００２３】
図７は、ライン・バイ・ライン方式による立体表示の概略を示す図である。ライン・バイ・ライン方式では、モニタの走査線に左眼用画像及び右眼用画像を交互に表示する。立体視する際には、モニタ７００にケーブル７０１を介して液晶シャッタメガネ７０２を接続する。そして、モニタ７００がインターレース走査によりフィールド単位で左眼用ラインＬ１、Ｌ２、・・・及び右眼用ラインＲ１、Ｒ２、・・・を表示するのに同期して、液晶シャッタメガネ７０２を制御する。この結果、フィールド毎に左眼及び右眼に視差に応じて異なる映像が表示され、立体視が可能になる。
図８は、フレームシーケンシャル方式による立体表示の概略を示す図である。ここでは、プログレッシブ走査による表示を行うものとする。図８には、１／６０秒単位でフレームを切り換える６０ｐ表示、及び１／１２０秒単位でフレームを切り換える１２０ｐ表示を示してある。６０ｐ表示では、左眼用の画像及び右眼用の画像を１／６０秒単位で交互に切り換えながら表示する。左１画像、右１画像、左２画像、右２画像は、各々フレーム毎の左眼用及び右眼用の画像である。１２０ｐ表示では、左眼用の画像及び右眼用の画像を１／１２０秒単位で交互に切り換えながら表示する。立体視の際には、ライン・バイ・ライン方式と同様に、モニタが液晶シャッタメガネをフレーム切り替え信号に同期して制御する。
図９は、多眼式立体表示の概略を示す図である。図９には、２分割の多眼式立体表示及び４分割の多眼式立体表示を示してある。図９に示すように、ＬＣＤ９１２の前面に、視差バリア９１１が装着されたフィルタ９１０が配置される。そして、２分割の多眼式立体表示では、ＬＣＤ９１２の画素が左眼用の画素Ｌ又は右眼用の画素Ｒのいずれかに割り当てられている。また、視差バリア９１１は、画素Ｌが左眼のみに投影され、画素Ｒが右眼のみに投影されるように光路を遮断するように配置されている。このため、左眼及び右眼に各々異なる画像が投影され、立体視が可能になる。なお、４分割の多眼式立体表示では、ＬＣＤ９１２の画素が４分割されており、立体視が可能な視点の数を増やすことができる。
【００２４】
次に、グラフィック処理部１０５によるＧＵＩの３Ｄ変換処理の概要について説明する。上述のように、この処理は、ステップＳ４１０、Ｓ４１３、Ｓ４１４、及びＳ４１６において行われる。図１０は、ＧＵＩの３Ｄ変換処理の概要を示す図である。図１０（ａ）は、立体視の際の飛び出し量と投影面上の位置との関係を示す。また、図１０（ｂ）は、図１０（ａ）中の位置Ｐ２に立体像を投影する際の左眼用及び右眼用の画面を示し、図１０（ｃ）は、図１０（ａ）中の位置Ｐ１に立体像を投影する際の左眼用及び右眼用の画面を示す。
図１０に示すように、左眼及び右眼に視差を与えた画像を投影することにより、立体視を実現することができる。また、図１０に示すように、飛び出し量を調整するためには、画面１０１０上でＧＵＩの部品１０１１の表示位置を横方向にｘ分シフトすればよい。
グラフィック処理部１０５は、図１０に示すように、左眼用及び右眼用に、視差に合わせて部品の表示位置をシフトしたＧＵＩを生成し、メモリ１０３に保持させるのである。
【００２５】
このような第１の実施形態によれば、モニタ３０２の表示条件情報５０２に応じて記録再生装置１０が２Ｄ又は３ＤのＧＵＩデータをモニタ３０２に送信するため、モニタ３０２は、自身の機能に応じたＧＵＩ表示を行うことができる。従って、記録再生装置１０及びモニタ３０２が互いに対応可能な３Ｄ表示が可能なものでありさえすれば、ユーザは種々の煩雑な設定等を行わずとも、３Ｄ表示されたＧＵＩを鑑賞することができる。
【００２６】
なお、ステップＳ４０２の処理に代えて、モニタ３０２がその時点で３Ｄ表示しているか否かの情報をＣＰＵ１０９が取得し、３Ｄ表示している場合にステップＳ４０３の処理を行い、そうでない場合にステップＳ４０７の処理を行うようにしてもよい。
また、モニタ３０２に３Ｄ表示する対象はＧＵＩに限定されるものではなく、記録媒体１１１に記録されている静止画又は動画等の画像データをモニタ３０２に３Ｄ表示してもよい。即ち、記録媒体１１１に両眼用の画像データが記録されている場合には、ＣＰＵ１０９が、当該画像データについてモニタ３０２の表示能力に基づいて、モニタ３０２の表示形式に対応する３Ｄ映像を出力するか、２Ｄ映像を出力するか切り替えてもよい。
更に、記録媒体１１１に両眼用の画像データが記録されていない場合には、記録再生装置１０は、上述のような動作により３Ｄ表示用のＧＵＩデータをモニタ３０２に送信し、画像データの再生時には、２Ｄ表示用のデータを送信すればよい。
【００２７】
なお、モニタ３０２の３Ｄ表示方式に記録再生装置１０が対応していない場合には、上述のように、ステップＳ４０７の処理が行われるが、この際には、例えば、グラフィック処理部１０５が通常の２Ｄの表示画面を１画面だけ生成する。そして、ステップＳ４１９において、ビデオ信号処理部１０６がこの２Ｄの表示画面を処理して、左眼用及び右眼用に同一のビデオ信号を出力することになる。この場合、左眼及び右眼に視差のない同一の画像が投影されるので、モニタ３０２の表示部３１１には２ＤのＧＵＩ画面が表示される。
【００２８】
（第２の実施形態）
次に、第２の実施形態について説明する。第２の実施形態では、上述のような第１の実施形態と並行して、表示パネル１０７の表示内容を切り替える。図１１は、第２の実施形態に係る記録再生装置の動作を示すフローチャートである。
先ず、ユーザにより記録再生装置１０及びモニタ３０２が互いに接続されると、記録再生装置１０のＣＰＵ１０９及びモニタ３０２の制御部３１２が外部接続ＩＦ１０８及び３１０を介して所定のプロトコルで通信を開始する（ステップＳ１１０１）。そして、ＣＰＵ１０９は、モニタ３０２から条件情報を取得し、モニタ３０２が３Ｄ表示に対応しているか否かの判断を行う（ステップＳ１１０２、Ｓ１１０３）。つまり、ステップＳ１１０１の処理はステップＳ４０１に相当し、ステップＳ１１０２及びＳ１１０３の処理はステップＳ４０２に相当する。
【００２９】
そして、モニタ３０２が３Ｄ表示に対応している場合には、ステップＳ１１０４に移行しモニタ３０２に３Ｄ表示用のＧＵＩデータを送信し、対応していない場合には、ステップＳ１１０６に移行してモニタ３０２に２Ｄ表示用のＧＵＩデータを送信する。ＧＵＩデータの作成及び送信は、第１の実施形態に沿って行われる。
ステップＳ１１０４の後には、表示パネル１０７が２ＤのＧＵＩを表示する。一方、ステップＳ１１０６の後には、表示パネル１０７にＧＵＩを表示しないこととする。
【００３０】
このような第２の実施形態によれば、モニタ３０２がＧＵＩを３Ｄ表示している場合には、表示パネル１０７により２Ｄ表示されたＧＵＩを確認することができる。その一方で、モニタ３０２がＧＵＩを２Ｄ表示している場合には、敢えてモニタ３０２で同一の２Ｄ表示のＧＵＩを確認する必要はないため、ＧＵＩの表示を省略することとして消費電力を低減することができる。
【００３１】
なお、モニタ３０２等の外部機器にＧＵＩ又は画像データ等を表示させている場合には、表示パネル１０７の画面上に接続中であることがわかるようにアイコン等の記号、又は文字等を表示して、その旨を明示してもよい。更に、外部機器に３Ｄ表示させている場合に、記号又は文字等を用いてその旨を明示してもよい。
【００３２】
なお、ＣＰＵ１０９の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
また、上述した実施形態においては、本発明を記録再生装置に適用した場合を例にして説明したが、これはこの例に限定されない。すなわち、本発明はパーソナルコンピュータやＰＤＡ、携帯電話端末や携帯型の画像ビューワ、プリンタ装置に設けられた印刷画像選択および確認のためのディスプレイ、デジタルフォトフレームなど、画像を外部の表示装置に出力することがある画像処理装置であれば適用可能である。
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【符号の説明】
【００３３】
１０：記録再生装置  １０２：符号化処理部  １０３：メモリ  １０４：記録ドライブ  １０５：グラフィック処理部  １０６：ビデオ信号処理部  １０７：表示パネル  １０８：外部接続ＩＦ  １０９：ＣＰＵ  １１０：操作部  １１１：記録媒体
【図１】
2012039243.tif 000003
【図２】
2012039243.tif 000004
【図３】
2012039243.tif 000005
【図４】
2012039243.tif 000006
【図５】
2012039243.tif 000007
【図６】
2012039243.tif 000008
【図７】
2012039243.tif 000009
【図８】
2012039243.tif 000010
【図９】
2012039243.tif 000011
【図１０】
2012039243.tif 000012
【図１１】
2012039243.tif 000013